(57)【要約】【課題】  物品を引っ掛かり無く円滑に収納して物品と継ぎしろの損傷を防止でき、しかもデッドスペースも生じない段ボール箱の組立構造を提供する。【解決手段】  一枚の両面段ボールを筒状に折り曲げて一方の側板３から伸びる継ぎしろ６を他方の側板３に接着するとともに、上下部分に形成した外フラップ及び内フラップを交互に折り重ねて組み立てられる段ボール箱において、前記継ぎしろ６を他の部分より圧縮して厚さを薄く形成するとともに、その外周部６ａを更に圧縮して厚さを更に薄く形成し、継ぎしろ６が接着される他方の側板３の接着面３ａを圧縮して厚さを薄く形成し、同接着面３ａに前記継ぎしろ６を重ねるようにして接着して接合面を略同一面に形成した。【選択図】図６
0003137179.tif 000002
【実用新案登録請求の範囲】
【請求項１】
一方の側板から伸びる継ぎしろを他方の側板の内面に接着して組み立てられる段ボール箱の組立構造において、前記継ぎしろを圧縮して厚さを薄く形成するとともに、その外周縁を更に圧縮して厚さを更に薄く形成し、継ぎしろが接着される他方の側板の接着面を圧縮して厚さを薄く形成し、同接着面に前記継ぎしろを重ねて接着して接合面を略同一面に形成したことを特徴とする、段ボール箱の組立構造。
【請求項２】
継ぎしろの外周縁に多数の切れ目を端辺と直交する方向に形成した、請求項１記載の段ボール箱の組立構造。
【請求項３】
継ぎしろの切れ目間の位置に複数の刺し穴を形成した、請求項２記載の段ボール箱の組立構造。
【請求項４】
請求項１〜３いずれか記載の段ボール箱内に仕切りを取り付けた段ボール箱において、前記仕切りの両端部に継ぎしろを形成し、同継ぎしろを他の部分より圧縮して厚さを薄く形成するとともに、その外周縁を更に圧縮して厚さを更に薄く形成し、仕切りの継ぎしろが接着される側板の接着面を圧縮して厚さを薄く形成し、同接着面に前記仕切りの継ぎしろを重ねて接着して接合面を略同一面に形成したことを特徴とする、段ボール箱の組立構造。
【請求項５】
継ぎしろと側板の接着面部分の厚さを他の部分の１／２となる厚さに圧縮し、継ぎしろの外周縁を継ぎしろの１／２となる厚さに更に圧縮した、請求項１〜４いずれか記載の段ボール箱の組立構造。
【考案の詳細な説明】
【技術分野】
【０００１】
本考案は、段ボール箱の組立構造に関する。
【背景技術】
【０００２】
従来の段ボール箱は、一枚の両面段ボールを筒状に折り曲げて一方の側板から伸びる継ぎしろを他方の側板の内面に重ねて接着するとともに、上下部分に形成した外フラップ及び内フラップを交互に折り重ねて組み立てられる構造が一般的である。
【０００３】
ところで、このような段ボール箱は、継ぎしろを側板に重ね合わせる構造であるから、継ぎしろの厚さ分段差が生じており、物品を収納する際にその段差に引っ掛かって円滑に収納し難くなるとともに、物品や継ぎしろを損傷することがあった。また、段差により物品の一部分が側板と密接できず、デッドスペースが生じることがあった。
【特許文献１】実用新案登録第３０２６３４０号公報
【考案の開示】
【考案が解決しようとする課題】
【０００４】
本考案が解決しようとする課題は、従来のこれらの問題点を解消し、物品を引っ掛かり無く円滑に収納して物品と継ぎしろの損傷を防止でき、しかもデッドスペースも生じない段ボール箱の組立構造を提供することにある。
【課題を解決するための手段】
【０００５】
かかる課題を解決した本考案の構成は、
１）  一方の側板から伸びる継ぎしろを他方の側板の内面に接着して組み立てられる段ボール箱の組立構造において、前記継ぎしろを圧縮して厚さを薄く形成するとともに、その外周縁を更に圧縮して厚さを更に薄く形成し、継ぎしろが接着される他方の側板の接着面を圧縮して厚さを薄く形成し、同接着面に前記継ぎしろを重ねて接着して接合面を略同一面に形成したことを特徴とする、段ボール箱の組立構造
２）  継ぎしろの外周縁に多数の切れ目を端辺と直交する方向に形成した、前記１）記載の段ボール箱の組立構造
３）  継ぎしろの切れ目間の位置に複数の刺し穴を形成した、前記２）記載の段ボール箱の組立構造
４）  前記１）〜３）いずれか記載の段ボール箱内に仕切りを取り付けた段ボール箱において、前記仕切りの両端部に継ぎしろを形成し、同継ぎしろを他の部分より圧縮して厚さを薄く形成するとともに、その外周縁を更に圧縮して厚さを更に薄く形成し、仕切りの継ぎしろが接着される側板の接着面を圧縮して厚さを薄く形成し、同接着面に前記仕切りの継ぎしろを重ねて接着して接合面を略同一面に形成したことを特徴とする、段ボール箱の組立構造
５）  継ぎしろと側板の接着面部分の厚さを他の部分の１／２となる厚さに圧縮し、継ぎしろの外周縁を継ぎしろの１／２となる厚さに更に圧縮した、前記１）〜４）いずれか記載の段ボール箱の組立構造
にある。
【考案の効果】
【０００６】
本考案によれば、継ぎしろと側板の接着面部分を圧縮して厚さを薄くしたから、継ぎしろを接着面に重ねて接着すると、その接合面が略同一面に形成されて突起や段差が無くなり、物品を収容する際に引っ掛かり無く円滑に収納でき、物品や継ぎしろが損傷し難くなる。また、段差が無いから物品の側面を側板に密接でき、収容時にデッドスペースが生じることもない。
【考案を実施するための最良の形態】
【０００７】
本考案では、継ぎしろの外周縁に多数の切れ目を端辺と直交する方向に形成すると、継ぎしろの外周縁が側板の接着面に馴染み易くなり、より段差の無い接合面にできる。また、継ぎしろの切れ目間の位置に複数の刺し穴を形成すると、段ボールの圧縮が容易となり、圧縮した状態を保持し易くなる。以下、本考案の各実施例を図面に基づいて具体的に説明する。
【実施例１】
【０００８】
図１は実施例１の段ボール箱の展開図、図２は実施例１の継ぎしろの断面図、図３は実施例１の継ぎしろの拡大図、図４は実施例１の側板の断面図、図５は実施例１の段ボール箱の組立状態を示す斜視図、図６は実施例１の継ぎしろと側板の断面図である。
【０００９】
図中、１は折り目、２は切れ目、３は側板、３ａは接着面、４は内フラップ、４ａは接着面、５は外フラップ、６は継ぎしろ、６ａは外周部、６ｂは切れ目、６ｃは刺し穴、Ａは段ボール箱、Ｃは中しん、Ｆはライナ、ｍは物品である。
【００１０】
実施例１は、図１に示すように一枚の長方形状の両面段ボールに折り目１と切れ目２を加工して側板３と内フラップ４と外フラップ５を形成し、一方の最端の側板３の側辺に継ぎしろ６を部分的に突出するように形成し、他方の最端の側板３及び内フラップ４に継ぎしろ６が接着される接着面３ａ，４ａを形成している。
【００１１】
継ぎしろ６は、図２に示すように両面段ボールの厚さＨ１の１／２となる厚さＨ２に全面を圧縮するとともに、その外周縁をＨ１の１／４となる厚さＨ３に圧縮して更に薄くし（外周部６ａ）、外周部６ａは図３に示すように多数の切れ目６ｂを端辺と直交する方向に形成し、切れ目６ｂ間の位置に複数の刺し穴６ｃを貫通している。側板３の接着面３ａは、図４に示すようにＨ１の１／２となる厚さＨ２に圧縮している。内フラップ４の接着面４ａも図示しないが接着面３ａと同様にＨ１の１／２となる厚さＨ２に圧縮している。
【００１２】
実施例１では、段ボールを折り目１の位置で折り曲げ、接着面３ａ，４ａ又は継ぎしろ６に接着剤を塗布し、接着面３ａ，４ａに継ぎしろ６を重ね合わせて接着し、内フラップ４と外フラップ５を折り曲げて図５に示す段ボール箱Ａを組み立てる。継ぎしろ６と接着面３ａ，４ａはそれぞれの厚さがＨ１の１／２となるＨ２であるから、図６に示すように接合面が略同一面に形成されて突起や段差が無くなり、物品ｍを収容する際に引っ掛かることがなく、収容時にデッドスペースが生じることもない。
【実施例２】
【００１３】
図７，８に示す実施例２は、実施例１の段ボール箱に仕切りを設けた例である。図７は実施例２の段ボール箱の組立状態を示す斜視図、図８は実施例２の仕切りの継ぎしろと側板の断面図である。図中、７は仕切り、８は継ぎしろ、８ａは外周部である。
【００１４】
実施例２では、仕切り７の両端に継ぎしろ８が形成されている。継ぎしろ８は実施例１の継ぎしろ６と同様に両面段ボールの厚さＨ１の１／２となる厚さＨ２に全面を圧縮するとともに、その外周縁をＨ１の１／４となる厚さＨ３に圧縮して更に薄くし（外周部８ａ）、その部分に多数の切れ目を端辺と直交する方向に形成するとともに切れ目間の位置に複数の刺し穴を貫通している。仕切り７の継ぎしろ８と接着される側板３の接着面３ａはＨ１の１／２となる厚さＨ２に圧縮している。
【００１５】
図７に示すように、仕切り７の継ぎしろ８を折り曲げて段ボール箱Ａの対向する側板３の各接着面３ａに接着する。図８に示すように、継ぎしろ８と側板３の接着面３ａはそれぞれの厚さがＨ１の１／２となるＨ２であるから、側板３と略同一面となり、物品ｍを収容する際に引っ掛かることがなく、収容時にデッドスペースが生じることもない。その他、符号、構成、作用効果は実施例１と同じである。
【産業上の利用可能性】
【００１６】
本考案の段ボール箱の組立構造は、継ぎしろに引っ掛かり易い形状の物品の収容に有用である。
【図面の簡単な説明】
【００１７】
【図１】実施例１の段ボール箱の展開図である。
【図２】実施例１の継ぎしろの断面図である。
【図３】実施例１の継ぎしろの拡大図である。
【図４】実施例１の側板の断面図である。
【図５】実施例１の段ボール箱の組立状態を示す斜視図である。
【図６】実施例１の継ぎしろと側板の断面図である。
【図７】実施例２の段ボール箱の組立状態を示す斜視図である。
【図８】実施例２の仕切りの継ぎしろと側板の断面図である。
【符号の説明】
【００１８】
１  折り目
２  切れ目
３  側板
３ａ  接着面
４  内フラップ
４ａ  接着面
５  外フラップ
６  継ぎしろ
６ａ  外周部
６ｂ  切れ目
６ｃ  刺し穴
７  仕切り
８  継ぎしろ
８ａ  外周部
Ａ  段ボール箱
Ｃ  中しん
Ｆ  ライナ
ｍ  物品
【図１】
0003137179.tif 000003
【図２】
0003137179.tif 000004
【図３】
0003137179.tif 000005
【図４】
0003137179.tif 000006
【図５】
0003137179.tif 000007
【図６】
0003137179.tif 000008
【図７】
0003137179.tif 000009
【図８】
0003137179.tif 000010